(57)【特許請求の範囲】
【請求項１】
それぞれが一定の時間長を持つ複数の期間に対応する時系列データを一時記憶するメモリと、
前記複数の期間に対応する時系列データを示すトレンドグラフを第1の方向に沿って時間経過に合わせて並べて表示する第1の領域と、前記トレンドグラフのうち、ユーザが選択した特定期間に対応する時系列データを示す特定期間トレンドグラフを前記第1の方向に沿って表示する第２の領域と、前記特定期間トレンドグラフに対応する複数の時系列データを表形式で前記第1の方向に沿って並べて表示する第３の領域とを備える表示画面を表示する表示部と、
ユーザが前記特定期間および当該特定期間内のある特定時点を選択するためのＧＵＩと、
前記表示画面上において前記第1の方向に移動可能であって、ユーザが選択した前記特定期間を他の期間とは区別して示す第1のカーソルを前記第1の領域に重畳するとともに、
前記特定期間内において前記第1の方向に移動可能であって、ユーザが選択した特定時点を示す第２のカーソルを前記第２の領域に重畳し、かつ、当該第２のカーソルに連動して前記第３の領域に表示されたデータ間を前記第1の方向に移動可能な第３のカーソルを前記第３の領域に重畳する表示制御部と、を備え、
ユーザが前記ＧＵＩにて特定期間内の特定時点を選択した場合に、前記第２及び第３のカーソルが連動して移動可能であるともに、前記表において、前記第２のカーソルで示された前記特定時点のデータを他の時点におけるデータに比べて拡大表示する、トレンドグラフ表示システム。
【請求項２】
前記表示画面において、前記第１の領域の上方に前記第２の領域を配置し、前記第２の領域の上方に前記第３の領域を配置する請求項１記載のトレンドグラフ表示システム。
【請求項３】
前記特定期間トレンドグラフと前記表は、同じ時間スケ−ルで配置する請求項１又は請求項２記載のトレンドグラフ表示システム。
【請求項４】
予め時系列データの種別間での差分算出式を設定し、前記第２のカーソルで示された前記特定時点におけるデータに基づいて差分情報を算出し、前記第２の領域に表示される特定期間トレンドグラフ上に重畳表示する請求項１乃至請求項３のいずれか１項に記載のトレンドグラフ表示システム。
【請求項５】
前記第２の領域に表示される特定期間トレンドグラフの側辺に、グラフの縦軸のスケールを変更可能なスライダーを配置した請求項１乃至請求項４のいずれか１項に記載のトレンドグラフ表示システム。
【請求項６】
前記第２のカーソルで示された前記特定時点を他の時点とは別の色を付して表示する請求項１乃至請求項５のいずれか１項に記載のトレンドグラフ表示システム。
【請求項７】
前記第１のカーソルで示された前記特定期間を他の期間とは別の色を付して表示する請求項１乃至請求項６のいずれか１項に記載のトレンドグラフ表示システム。
【請求項８】
前記第1の方向は、前記表示部の表示画面上の左右方向である請求項１乃至請求項７のいずれか１項に記載のトレンドグラフ表示システム。
【発明の詳細な説明】
【技術分野】
【０００１】
本発明の実施形態は、トレンドグラフ表示システムに関する。
【背景技術】
【０００２】
近年、太陽光発電所や風力発電所を含む発電所での電力供給量と地域内での電力需要の管理を行うエネルギー管理システムとして、地域エネルギマネージメントシステムＣＥＭＳ（Community Energy Management System）が構築されつつある。
【０００３】
一般に、ＣＥＭＳにおける電力監視・制御ＧＵＩ画面には、トレンドグラフと表が用いられている。システムの利用者は、トレンドグラフでデータの変動傾向を確認することができ、表でデータの値を数字で確認することができる。
【０００４】
しかし、トレンドグラフではＸ軸やＹ軸を参照して値を読み取るが、表の値との関連付けが瞬時にできない。また、特定期間のトレンドグラフより長い期間のトレンドグラフの傾向を確認したい時には、画面を切り替える必要がある。
【先行技術文献】
【特許文献】
【０００５】
【特許文献１】特開２００２−５５１２２号公報
【特許文献２】特開２００９−１８７４４９号公報
【特許文献３】特開平０９−２４４６１８号公報
【発明の概要】
【発明が解決しようとする課題】
【０００６】
本発明が解決しようとする課題は、トレンドグラフ上の変動傾向と表の値を短時間で対応付けて認識できるトレンドグラフ表示システムを提供することである。
【課題を解決するための手段】
【０００７】
実施形態のトレンドグラフ表示システムは、それぞれが一定の時間長を持つ複数の期間に対応する時系列データを一時記憶するメモリと、前記複数の期間に対応する時系列データを示すトレンドグラフを第1の方向に沿って時間経過に合わせて並べて表示する第1の領域と、前記トレンドグラフのうち、ユーザが選択した特定期間に対応する時系列データを示す特定期間トレンドグラフを前記第1の方向に沿って表示する第２の領域と、前記特定期間トレンドグラフに対応する複数の時系列データを表形式で前記第1の方向に沿って並べて表示する第３の領域とを備える表示画面を表示する表示部と、ユーザが前記特定期間および当該特定期間内のある特定時点を選択するためのＧＵＩと、前記表示画面上において前記第1の方向に移動可能であって、ユーザが選択した前記特定期間を他の期間とは区別して示す第1のカーソルを前記第1の領域に重畳するとともに、前記特定期間内において前記第1の方向に移動可能であって、ユーザが選択した特定時点を示す第２のカーソルを前記第２の領域に重畳し、かつ、当該第２のカーソルに連動して前記第３の領域に表示されたデータ間を前記第1の方向に移動可能な第３のカーソルを前記第３の領域に重畳する表示制御部と、を備え、ユーザが前記ＧＵＩにて特定期間内の特定時点を選択した場合に、前記第２及び第３のカーソルが連動して移動可能であるとともに、前記表において、前記第２のカーソルで示された前記特定時点のデータを他の時点におけるデータに比べて拡大表示する。
【図面の簡単な説明】
【０００８】
【図１】本実施形態に係るトレンドグラフ表示システムの構成例を示す図である。
【図２】表示装置に表示される表示画面の一例を示す図である。
【図３】トレンドグラフ表示システムにおける全体の処理の流れを示すフローチャートである。
【図４】特定期間トレンドグラフの生成処理の流れを示すフローチャートである。
【図５】特定期間の表の生成処理の流れを示すフローチャートである。
【図６】表のデータを対応付けする処理の流れを示すフローチャートである。
【図７】データ種別間差分を生成する処理の流れを示すフローチャートである。
【発明を実施するための形態】
【０００９】
以下、本発明の一実施の形態について、図面を参照して説明する。尚、各図において同一箇所については同一の符号を付すとともに、重複した説明は省略する。
【００１０】
本実施形態に係るトレンドグラフ表示システムは、トレンドグラフと同じ時間スケールで表を配置し、カーソル操作と表の上の拡大表示を連動させることで、表とトレンドグラフを対応付けるものである。
【００１１】
図１は、本実施形態に係るトレンドグラフ表示システムの構成例を示す図である。本実施形態では、地域エネルギマネージメントシステムＣＥＭＳにおいて構築するトレンドグラフ表示システム１００を例にとって説明する。
【００１２】
トレンドグラフ表示システム１００は、主としてサーバ１０と、クライアント装置２０と、表示装置４０から構成されている。サーバ１０は、主として電力需要収集部１１、電力需要予測部１２、ＤＲ予測部１３、ＰＶ予測部１４、データベース（以下、ＤＢという）１５から構成されている。
【００１３】
電力需要収集部１１は、例えば、ある地域全体の電力需要を収集するものである。
【００１４】
電力需要予測部１２は、例えば、ある地域全体の電力需要を予測するものである。需要予測値は、例えば、翌日の電力需要を月、平日、休日、天気条件に応じたパターンから予測した値である。
【００１５】
ＰＶ予測部１４は、例えば、ある地域全体の光による発電（photovoltaic）量を、日単位、時間単位で予測するものである。
【００１６】
ＤＲ予測部１３は、デマンドレスポンス（ＤＲ）値を予測するものである。ＤＲとは、ＰＶ発電予測値が需要予測値を上回った場合に、地域内の地区単位で夜間に発生する予定だった電力負荷を昼間にシフトさせることや電力需要ピーク時に電力使用を抑制させる機能をいい、ＤＲ値はシフトさせる量や使用抑制量をいう。ＤＲ値は、ＣＥＭＳの構築上、複数種のものを設定することができる。
【００１７】
電力需要収集部１１、電力需要予測部１２、ＤＲ予測部１３、ＰＶ予測部１４からのデータは、ＤＢ１５に蓄積される。ＤＢ１５は、外部に備えられている気象情報サーバ５０と接続し、所要の気象情報を取り込んでいる。ＤＢ１５は、例えば、ハードディスク装置や、半導体メモリであるフラッシュメモリを使用したソリッドステートドライブ（ＳＳＤ）装置が好適である。
【００１８】
クライアント装置２０は、主として、入力処理部２１、第１のカーソル生成部２２、第２のカーソル生成部２３、全期間電力データ記憶部２４、全期間トレンドグラフ生成部２５、特定期間電力データ選択部２６、拡大データ選択部２７、差分データ選択部２８、対応付け用拡大生成部２９、差分情報生成部３０、特定期間トレンドグラフ生成部３１、特定期間表生成部３２から構成されている。このうち、入力処理部２１、全期間電力データ記憶部２４を除いた各部は、例えば各処理プログラムの形態として構築することができる。また、クライアント装置２０は、図示しない記憶部やプロセッサを具備させることもできる。
【００１９】
入力処理部２１は、例えばマウスやキーボードで構成され、ＣＥＭＳのユーザによる操作指令を受け付けるものである。
【００２０】
第１のカーソル生成部２２は、入力処理部２１と接続し第１のカーソル（後述する）を生成する。
【００２１】
第２のカーソル生成部２３は、入力処理部２１と接続し第２のカーソル（後述する）を生成する。
【００２２】
全期間電力データ記憶部２４は、例えば半導体メモリで構築され、ＤＢ１５から全期間の時系列の電力データを受け取り記憶する。全期間とは、例えば１日という一定の時間長をもつ期間が複数集まった１週間である。
【００２３】
全期間トレンドグラフ生成部２５は、全期間電力データ記憶部２４から受け取った全期間電力データに基づいて全期間のトレンドグラフを生成するものである。全期間トレンドグラフは、それぞれが一定の時間長を持つ複数の期間に対応する時系列データを、一方向に時間経過に合わせて並べたものである。トレンドグラフによって、時系列の電力データの変動傾向を把握することができる。
【００２４】
特定期間電力データ選択部２６は、第１のカーソル生成部２２での指示にしたがって、全期間電力データ記憶部２４から受け取った全期間電力データのうち、特定期間の電力データを選択するものである。特定期間とは、例えば１週間のうちの月曜日だけをいう。
【００２５】
拡大データ選択部２７は、第２のカーソル生成部２３での指示にしたがって、特定期間電力データ選択部２６で選択された特定期間電力データのうち、拡大表示する電力データを選択するものである。
【００２６】
差分データ選択部２８は、第２のカーソル生成部２３での指示にしたがって、特定期間電力データ選択部２６で選択された特定期間電力データのうち、差分表示する電力データを選択するものである。
【００２７】
対応付け用拡大生成部２９は、拡大データ選択部２７で選択された電力データを拡大するものである。
【００２８】
差分情報生成部３０は、差分データ選択部２８で選択された電力データの差分情報を生成するものである。差分情報は、ＣＥＭＳにおいて設定するもので、例えば、（需要予測値―ＤＲ値）である。
【００２９】
特定期間トレンドグラフ生成部３１は、特定期間電力データ選択部２６で選択された特定期間電力データに基づいて、特定期間のトレンドグラフを生成するものである。
【００３０】
特定期間表生成部３２は、特定期間電力データ選択部２６で選択された特定期間電力データに基づいて、特定期間の表を生成するものである。
【００３１】
表示装置４０は、例えばＰＣや携帯端末装置のディスプレイなどで、全期間トレンドグラフ生成部２５、対応付け用拡大生成部２９、差分情報生成部３０、特定期間トレンドグラフ生成部３１、特定期間表生成部３２から、それぞれデータを入力し、全期間トレンドグラフ、特定期間トレンドグラフ、特定期間表、拡大電力データ、差分情報を表示する。これらの表示の詳細については、後述する。
【００３２】
以上のように構成されたトレンドグラフ表示システムにおけるトレンドグラフと表との対応付け処理の概要について説明する。
【００３３】
本実施形態に係るトレンドグラフ表示システム１００は、トレンドグラフと同じ時間スケールで表を配置し、カーソル操作と表の上の拡大表示を連動させることで、表とトレンドグラフを対応付けている。さらに詳述すれば、全期間（例えば、１週間）トレンドグラフ上のカーソル操作と特定期間データを同じ表示画面内で切り替えることで、簡単な操作で画面を遷移させることなく、特定期間（例えば、１日）の表とトレンドグラフを表示する。
【００３４】
図２は、表示装置４０に表示される表示画面の一例を示す図である。  
図２に示すように、全期間のトレンドグラフＡが画面上、最下欄に表示されている。図２に示す例では、一日分のデータを一方向に時間経過に合わせ７日分まとめて並べたものとして、２０１２年２月２８日（火）から同年３月５日（月）までの１週間分の全期間トレンドグラフＡが表示されている。ＰＶ発電量の予測値、需要予測値、２種のＤＲ値、計４種の時系列電力データをグラフ表示している。
【００３５】
この全期間トレンドグラフＡでは、最左端の２月２８日（火）のトレンドグラフＡ１が他の日付のトレンドグラフとは異なる色となっており、２月２８日（火）の領域が第１のカーソルで選択されていることがわかる。ここで、第１のカーソルは、全期間のトレンドグラフＡの表示領域上に重畳し、左右方向に移動可能であって、ユーザが選択した特定期間Ａ１を他の期間とは区別して指し示すものである。
【００３６】
全期間トレンドグラフＡの表示領域上方には、特定期間のトレンドグラフＢが配置・表示されている。図２に示す例では、ユーザによる第１のカーソル操作で選択された２月２８日（火）の１日分のＰＶ発電量の予測値、需要予測値、２種のＤＲ値、計４種の時系列電力データをグラフ表示している。
【００３７】
図２に示す例では、午前８時〜８時３０分の時点Ｂ１が他の時間帯とは異なる色となっており、午前８時〜８時３０分の時点Ｂ１が第２のカーソル操作で選択されていることがわかる。ここで、第２のカーソルは、特定期間のトレンドグラフＢの表示領域上に重畳し、左右方向に移動可能であって、ユーザが選択した特定時点Ｂ１を他の時点とは区別して指し示すものである。
【００３８】
尚、特定期間トレンドグラフＢが配置・表示される領域の左側には、Ｙ軸のスケールを変更するスライダーＣが配置されている。スライダーＣ上のポインタを上下させることによって、特定期間トレンドグラフＢの表示スケールを変更することができる。時系列電力データの変動が小さい場合や、複数のグラフ間の差が少ない場合により差を強調させて表示して見易くできる。
【００３９】
特定期間トレンドグラフＢの表示領域上方には、特定期間の表Ｄが配置・表示されている。図２では、第１のカーソル操作で選択された２月２８日（火）の１日分のＰＶ発電量の予測値、需要予測値、２種のＤＲ値、計４種の時系列電力データが表形式で配置・表示されている。図２に示す例では、３０分毎の時系列電力データが表示されている。特定期間トレンドグラフＢのＸ軸と、特定期間の電力データから成る表Ｄの列は、同じスケールとなっている。
【００４０】
さらに、特定期間の表Ｄにおいて、第２のカーソル操作で選択されている午前８時〜８時３０分の時点Ｄ１におけるＰＶ発電量の予測値、需要予測値、２種のＤＲ値が、他の時間帯のデータに比べて拡大表示され、見易くなっている。すなわち、拡大表示データは、第２のカーソルに連動して特定期間の表Ｄに表示されたデータ間を、表示画面上、左右方向に移動可能な第３のカーソルで示されている。
【００４１】
尚、表のセルの幅は表示装置４０の画面サイズにより制約を受ける。そこで、特定期間トレンドグラフＢのＸ軸と表Ｄの列との時間スケールを合わせる場合、表Ｄには特定時間単位（例えば、３０分）毎の平均値・代表値・最初の値などを採用するのが好適である。
【００４２】
同様に、表示装置４０の画面サイズにより制約を受ける場合、対応付け用拡大表示に表示できなかった桁数の数字を、別途拡大表示することも好適である。
【００４３】
ＣＥＭＳの運用上、各ＤＲ値が計画に沿ったものであるか否かは重要である。そこで、計画上、未確定のＤＲ値を色分けして表示することも好適である。
【００４４】
上述してきたように、本実施形態に係るトレンドグラフ表示システム１００では、トレンドグラフＢと同じ時間スケールで表Ｄを配置し、カーソル操作と表Ｄの上の拡大表示を連動させ、トレンドグラフＢと表Ｄとを対応付けて表示させている。
【００４５】
さらに、第２のカーソル操作で選択された午前８時３０分における差分情報Ｅが、特定期間トレンドグラフＢ上に重畳して表示されている。ここでは、差分情報として、（需要予測値―ＤＲ値（１））と（需要予測値―ＤＲ値（２））が例示されている。尚、差分情報Ｅの表示位置は、特定期間トレンドグラフＢ上に限定されることはなく、表示装置の画面上、見易い位置にレイアウトできることは言うまでもない。
【００４６】
以上のように構成されたトレンドグラフ表示システムにおける全体の処理の流れについて説明する。
【００４７】
図３は、トレンドグラフ表示システムにおける全体の処理の流れを示すフローチャートである。
【００４８】
まず、全期間予測電力データを読み込む（ステップＳ３１）。次いで、全期間トレンドグラフを生成する（ステップＳ３２）。特定期間トレンドグラフを生成する（ステップＳ３３）。次いで、特定期間の表を生成する（ステップＳ３４）。
【００４９】
次に、第１のカーソル操作の有無を判定する（ステップＳ３５）。ユーザによる第１のカーソル操作があれば、ステップＳ３３に移行する。ユーザによる第１のカーソル操作が無い場合には、第２のカーソル操作の有無を判定する（ステップＳ３６）。
【００５０】
第２のカーソル操作が有りの場合、表のデータを対応付けする処理に移行する（ステップＳ３７）。次いで、データ種別間差分を生成する処理に移行する（ステップＳ３８）。
【００５１】
次に、終了の要求の有無を判定する（ステップＳ３９）。ステップＳ３６において第２のカーソル操作が無い場合もステップＳ３９に移行する。
【００５２】
終了の要求があれば終了し、終了の要求がなければ、ステップＳ３６に戻る。
【００５３】
図４は、特定期間トレンドグラフの生成処理の流れを示すフローチャートである。
【００５４】
まず、第１のカーソル操作でポイントされた座標値を取得する（ステップＳ４１）。次いで、座標値の相対的位置から 全期間の中の日付を特定する（ステップＳ４２）。次いで、全期間電力データ記憶部２４から 特定期間電力データを切り出す（ステップＳ４３）。その後、特定期間の電力データ最大値／最小値で Y軸スケールを決める（ステップＳ４４）。Y軸のスケールを変更する要求の有無を判定する（ステップＳ４５）。ステップＳ４５でＹＥＳであれば、Ｙ軸スケールを変更する（ステップＳ４６）。次に、特定期間トレンドグラフを表示する（ステップＳ４７）。ステップＳ４５でＮＯであれば、ステップＳ４７に移行する。
【００５５】
図５は、特定期間の表の生成処理の流れを示すフローチャートである。
【００５６】
まず、第１のカーソル操作でポイントされた座標値を取得する（ステップＳ５１）。次いで、座標値の相対的位置から全期間の中の日付を特定する（ステップＳ５２）。その後、全期間電力データ記憶部２４から特定期間電力データを切り出す（ステップＳ５３）。次に、各電力データが各表示領域を超えるか否かを判定する（ステップＳ５４）。ステップＳ５４でＹＥＳであれば、電力データを省略した形式に変換（ステップＳ５５）した後、特定期間の表に電力データを表示する（ステップＳ５６）。
【００５７】
図６は、表のデータを対応付けする処理の流れを示すフローチャートである。
【００５８】
まず、第２のカーソル操作でポイントされた座標値を取得する（ステップＳ６１）。次いで、第２のカーソルの座標値の相対的位置から特定期間の中の時刻を特定する（ステップＳ６２）。次いで、特定時刻の電力データを切り出す（ステップＳ６３）。その後、第２のカーソルの座標値の相対的位置から表の中のセルの位置を特定する（ステップＳ６４）。次いで、対応付け用拡大生成部２９の座標へ変換（ステップＳ６５）した後、対応付け用拡大生成部２９に 特定時刻の電力データを送り、表示装置４０に表示する（ステップＳ６６）。
【００５９】
図７は、データ種別間差分を生成する処理の流れを示すフローチャートである。
【００６０】
まず、第２のカーソル操作でポイントされた座標値を取得する（ステップＳ７１）。次いで、第２のカーソルの座標値の相対的位置から特定期間の中の時刻を特定する（ステップＳ７２）。次いで、特定時刻の電力データを切り出す（ステップＳ７３）。その後、予めシステムで定めた差分算出式を用いて差分を算出（ステップＳ７４）した後、差分情報生成部３０に結果を送り、表示装置４０に表示する（ステップＳ７５）。
【００６１】
本実施形態によれば、短い時間でトレンドグラフ上の傾向と表の値を対応付けて認識できる。そのため、きめ細かいデマンドレスポンスが発行できるようになり、より効率的に電力を利用することが可能になる。
【００６２】
また、電力監視システムの運用上、注目したい部分を少ない操作で選択でき、トレンドグラフの傾向を見て正確な数字を表から読み取れるから、精度の高い電力制御を指示することができCO2削減にもつながる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１００・・・トレンドグラフ表示システム（地域エネルギマネージメントシステムＣＥＭＳ）
１０・・・サーバ
２０・・・クライアント装置
２１・・・入力処理部
２２・・・第１のカーソル生成部
２３・・・第２のカーソル生成部
２４・・・全期間電力データ記憶部
２５・・・全期間トレンドグラフ生成部
２６・・・特定期間電力データ選択部
２７・・・拡大データ選択部
２８・・・差分データ選択部
２９・・・対応付け用拡大生成部
３０・・・差分情報生成部
３１・・・特定期間トレンドグラフ生成部
３２・・・特定期間表生成部
４０・・・表示装置
５０・・・気象情報サーバ
【図１】
0005925583.tif 000002
【図３】
0005925583.tif 000003
【図４】
0005925583.tif 000004
【図５】
0005925583.tif 000005
【図６】
0005925583.tif 000006
【図７】
0005925583.tif 000007
【図２】
0005925583.tif 000008